(57)【要約】【課題】電子機器類を収納したラックに分電盤を取り付けた分電盤搭載ラックを提供する。【解決手段】分電盤２を電子機器類収納用のラック本体１の側板１２又は背面板１３の外側に取り付ける。これにより、ラック本体１の外部から電源供給用の電線を引き回す必要がないものであり、また、分電盤２が電子機器類の収納スペース内に位置しないものであるから電子機器類の収納スペースが狭くなるという問題がないものである。また、分電盤２は操作部をラック本体の側板又は背面板の面積迄の大きさものまで取付可能であるから分岐数の多い分電盤を設置できるものである。【選択図】　　図１
2004140923.tif 000002
【特許請求の範囲】
【請求項１】
分電盤を電子機器類収納用のラック本体の側板又は背面板の外側に取り付けたことを特徴とする分電盤搭載ラック。
【請求項２】
分電盤を電子機器類収納用のラック本体の側板と垂直マウント部材との間に配置して取り付けたことを特徴とする分電盤搭載ラック。
【請求項３】
分電盤がラック本体側面側から操作可能としたものであることを特徴とする請求項２に記載の分電盤搭載ラック。
【請求項４】
分電盤がラック本体正面側から操作可能としたものであることを特徴とする請求項２に記載の分電盤搭載ラック。
【発明の詳細な説明】
【０００１】
【発明の属する技術分野】
本発明は、電子機器類を収納したラックに分電盤を取り付けた分電盤搭載ラックに関するものである。
【０００２】
【従来の技術】
従来、ラックに収納した電子機器類に電源を供給するための分電盤は、建屋の壁面に取り付けたが普通であった。そのため分電盤とラックの間を分岐した多数本の電線で接続しなけばならず、電線の引き回しに手数を要するという問題があった。そこで、これを解決するものとしてラックの電子機器類収納部の下段に前面にブレーカを有する電源ユニットを設置したものが提案されていた。（特許文献１参照）
【特許文献１】実開平６−４１１９０号公報（第２頁、図２）
【０００３】
【発明が解決しようとする課題】
ところが、前記特許文献１に示すものは、電源ユニットがラックの電子機器類収納部の下段に設置したものであるため、その分電子機器類の収納スペースが狭くなるという問題がある。また、設置する電源ユニットは操作部を前面側に位置するためスイッチ機構の数を多くするとこの操作部を広いものとする必要があり、電子機器類の収納スペースをより狭めるという問題があった。さらに、電源ユニットを分電盤とした場合にはより電子機器類の収納スペースを狭めるという問題があった。
【０００４】
【課題を解決するための手段】
前記の課題を解決するためになされた本発明の分電盤搭載ラックは、分電盤を電子機器類収納用のラック本体の側板又は背面板の外側に取り付けたことを特徴とするものを請求項１に記載の発明とする。また、分電盤を電子機器類収納用のラック本体の側板と垂直マウント部材との間に配置して取り付けたことを特徴とするものを請求項２に記載の発明とし、この発明において、分電盤がラック側面側から操作可能としたものであることを特徴とするものを請求項３に記載とする。さらに、前記請求項２の発明において、分電盤がラック正面側から操作可能としたものであることを特徴とするものを請求項４に記載の発明とする。
【０００５】
前記した請求項１に記載の発明によれば、分電盤が電子機器類収納用のラック本体の側板又は背面板の外側に取り付けたものであるから、ラック本体の外部から電源供給用の電線を引き回す必要がないものであり、また、分電盤が電子機器類の収納スペース内に位置しないものであるから電子機器類の収納スペースが狭くなるという問題がないものである。また、分電盤は操作部をラック本体の側板又は背面板の面積迄の大きさものまで取付可能であるから分岐数の多い分電盤を設置できるものである。
【０００６】
また、請求項２、３及び４に記載の発明によれば、分電盤が電子機器類収納用のラック本体の側板と垂直マウント部材との間に配置して取り付けたものであるから、ラック本体の外部から電源供給用の電線を引き回す必要がないものである。また、分電盤が配線スペース以外に有効利用されていなかった側板と垂直マウント部材との間に配置され電子機器類の収納スペース内に位置しないものであるから電子機器類の収納スペースが狭くなるという問題がないものである。そして、請求項３に記載の発明のように、分電盤がラック本体側面側から操作可能としたことにより、操作部を広くとることができるので分岐数の多い分電盤を設置できるものである。また、請求項４に記載の発明のように、分電盤がラック本体正面側から操作可能としたことにより、操作性に優れたものである。
【０００７】
【発明の実施の形態】
次に、本発明の請求項１に記載の発明に対応する第１の実施の形態を図１及び図２により説明する。
１は電子機器類を組み込んだ機器搭載ユニット３を収納する電子機器類収納用のラック本体であり、該ラック本体１は四隅に立設した縦フレーム１１の左右側の各前後一対の縦フレーム１１、１１間に側板１２を後部側の左右の縦フレーム１１、１１の間に背面板１３を取り付け、前面側の左右の縦フレーム１１、１１間に形成された正面開口を扉１４により開閉自在とし、両側板１２、１２の内側の前後部に４本の垂直マウント部材１５を立設して正面開口から該垂直マウント部材１５に機器搭載ユニット３を取り付けるものである。２は前記機器搭載ユニット３に電源を供給する分電盤であり、この分電盤２は前記ラック本体１の側板１２又は背面板１３の外側に背面側をもって取り付けるものであって、図示のものは分電盤２を側板１２に取り付けたものとしているが、背面板１３に取り付けたものとしてもよい。
【０００８】
このように構成された第１の実施形態のものは、分電盤２がラック本体１の側板１２又は背面板１３の外側に取り付けものであるから、ラック本体１の外部から機器搭載ユニット２への電源供給用の電線を引き回す必要がないものである。そして、分電盤２がラック本体１の電子機器類の収納スペース内に位置しないものであるから電子機器類の収納スペースを狭くするという問題がないものである。
【０００９】
また、分電盤２はラック本体１の外部すなわち側板１２又は背面板１３の外側に取り付けたものであるから、分岐数の多い大きな分電盤であっても取り付けできるので、ラック本体１に連結して設置した他のラック内に取り付けた機器搭載ユニットへの電源の供給も可能とするものである。なお、ラック本体を複数個連結して設置した場合には分電盤２からラック本体１に引き込んだ電線をフリーアクセツフロア等を利用して露出させることなく他のラック内に引き込むものである。
【００１０】
続いて、請求項２及び３に記載の発明に対応する第２の実施の形態を図３〜図６により説明する。
この実施形態にあっては電子機器類収納用のラック本体１の構造は前記第１の実施形態と同様であるので、図の同符号を付けて説明は省略する。この実施形態にあっては、ラック本体１に収納した機器搭載ユニット３に電源を供給する分電盤２が、ラック本体１の側板１２と垂直マウント部材１５との間に配置して前後の垂直マウント部材１５又は前後の縦フレーム１１に取り付けられて、操作部である主幹ブレーカ、分岐ブレーカのハンドル側が側板１２側を臨むようにしてラック本体１側面側から操作可能としたものである。この場合には側板１２が容易に着脱できる構成とすることは勿論である。また、図６に示すように側板１２に窓孔１２ａを設けて該窓孔１２ａから分電盤２の前面側を臨むように取り付けてもよいものである。
【００１１】
なお、この分電盤２はラック本体１内に位置しているから図５に示すように分岐ブレーカと接続したコンセント２１や端子台を分電盤２のラック本体１の背面側を臨む側面に設けたものとすれば、機器搭載ユニットとの配線作業が容易なものとなる。また、分電盤２の取付方法は図４及び図５に示すように前後の縦フレーム１１、１１間に張設した上下２本の桁材１６，１６に取り付けてもよいが、分電盤２の背面両側を直接垂直マウント部材１５に取り付けてもよい。
【００１２】
このように構成された第２の実施形態のものは、分電盤２がラック本体１の側板１２と垂直マウント部材１５との間に配置して取り付けたものであるから、ラック本体１の外部から電源供給用の電線を引き回す必要がないものである。また、分電盤２が配線スペース以外に有効利用されていなかつた側板１２と垂直マウント部材１５との間に配置されて電子機器類の収納スペース内に位置しないものであるから電子機器類の収納スペースが狭くなるという問題がないものである。そして、分電盤２が面積の広いラック本体側面側から操作可能としたことにより、操作部を広くとることができるので分岐数の多い分電盤を設置できるものであり、ラック本体１に連結して設置した他のラック内に取り付けた機器搭載ユニットへの電源の供給も可能とするものである。
【００１３】
続いて、請求項２及び４に記載の発明に対応する第３の実施の形態を図７〜図９により説明する。この実施形態にあっても電子機器類収納用のラック本体１の構造は前記第１の実施形態と同様であるので、図の同符号を付けて説明は省略する。この実施形態にあっては、ラック本体１に収納した機器搭載ユニット３に電源を供給する分電盤２がラック本体１の側板１２と垂直マウント部材１５との間に配置して前後の垂直マウント部材１５又は前後の縦フレーム１２に取り付けられてラック本体正面側から操作可能としたものである。すなわち、これに使用する分電盤２は図示ように操作部である主幹ブレーカ５ａ、分岐ブレーカ５ｂのハンドルが側板１２と垂直マウント部材１５との間からラック本体１の正面を臨む構成として、ラック本体正面側から操作可能としたものである。なお、この分電盤２はラック本体１内に位置しているから図９に示すように分岐ブレーカと接続したコンセント２１や端子台をラック本体１の背面側に正面を臨むように側面に設けたものとすれば、機器搭載ユニットとの配線作業が容易なものとなる。
【００１４】
このように構成された第３の実施形態のものは、分電盤２がラック本体１の側板１２と垂直マウント部材１５との間に配置して取り付けたものであるから、ラック本体１の外部から電源供給用の電線を引き回す必要がないものである。また、分電盤２が配線スペース以外に有効利用されていなかつた側板１２と垂直マウント部材１５との間に配置されて電子機器類の収納スペース内に位置しないものであるから電子機器類の収納スペースが狭くなるという問題がないものである。そして、分電盤２が前後の垂直マウント部材１５又は前後の縦フレーム１１に取り付けられてラック本体正面側から操作可能としたことにより、操作性に優れたものである。
【００１５】
【発明の効果】
以上に説明したように、請求項１から４に記載のいずれの発明も、ラック本体の外部から電源供給用の電線を引き回す必要がないものであり、また、分電盤が電子機器類の収納スペース内に位置しないものであるから電子機器類の収納スペースが狭くなるという問題がないものである。また、請求項１及び３に記載の発明は分岐数の多い分電盤を設置できるものである。
【００１６】
さらに、請求項２、３及び４に記載の発明は、分電盤を配線スペース以外に有効利用されていなかつた電子機器類収納用のラック本体の側板と垂直マウント部材との間に配置して取り付けたものであるから、分電盤をラック本体から突設させない状態で電子機器類の収納スペースが狭くするという問題がないがものである。また、請求項４に記載の発明にあっては、分電盤がラック本体正面側から操作可能としたことにより、操作性に優れたものである。
【図面の簡単な説明】
【図１】本発明の第１の実施形態を示す横断面図である。
【図２】本発明の第１の実施形態を示す斜視図である。
【図３】本発明の第２の実施形態を示すに横断面図である。
【図４】本発明の第２の実施形態を示す側面図である。
【図５】本発明の第２の実施形態を示す背面図である。
【図６】本発明の第２の実施形態の他例を示す横断面図である。
【図７】本発明の第３の実施形態を示す要部の横断面図である。
【図８】本発明の第３の実施形態を示す正面図である。
【図９】本発明の第３の実施形態を示す側面図である。
【符号の説明】
１　ラック本体
１１　縦フレーム
１２　側板
１３　背面板
１５　垂直マウント部材
２　分電盤
【図１】
2004140923.tif 000003
【図２】
2004140923.tif 000004
【図３】
2004140923.tif 000005
【図４】
2004140923.tif 000006
【図５】
2004140923.tif 000007
【図６】
2004140923.tif 000008
【図７】
2004140923.tif 000009
【図８】
2004140923.tif 000010
【図９】
2004140923.tif 000011